(57)【要約】【課題】端子同士の締結作業を簡素化し、さらに部品点数の削減を図る。【解決手段】  第一締結孔５１を有する第一端子５０と、第二締結孔６１を有する第二端子６０と、上下方向に延び、上下方向に重ねられた第一端子５０及び第二端子６０に対し、第二締結孔６１に配される本体突起部１１を備えるコネクタハウジング１０と、コネクタハウジング１０に上方から装着されるカバー３０であって、板状をなすカバー本体部３１と、カバー本体部３１より下方に向けて垂直に延びて第二締結孔６１の内周面と本体突起部１１の外周面との間に配される一対の弾性片３２と、一対の弾性片３２より径方向外側に向けて突出するカバー突起部３３とを備えるカバー３０と、を備えるコネクタ１であって、本体突起部１１が一対の弾性片３２の間に挿通されて一対の弾性片３２が開くことによって、第一端子５０及び第二端子６０が上方に押圧された状態でカバー突起部３３により上方への変位が阻止される。【選択図】図２
2018181756.tif 000002
【特許請求の範囲】
【請求項１】
第一締結孔を有する第一端子と、
第二締結孔を有する第二端子と、
上下方向に延び、上下方向に重ねられた前記第一端子及び前記第二端子に対し、前記第二締結孔に配される本体突起部を備えるコネクタハウジングと、
前記コネクタハウジングに上方から装着されるカバーであって、板状をなすカバー本体部と、前記カバー本体部より下方に向けて垂直に延びて前記第二締結孔の内周面と前記本体突起部の外周面との間に配される一対の弾性片と、前記一対の弾性片より径方向外側に向けて突出するカバー突起部とを備えるカバーと、を備えるコネクタであって、
前記本体突起部が前記一対の弾性片の間に挿通されて前記一対の弾性片が開くことによって、前記第一端子及び前記第二端子が上方に押圧された状態で前記カバー突起部により上方への変位が阻止されるコネクタ。
【請求項２】
前記本体突起部は、上方に向けて先細りのテーパー状をなしている請求項１に記載のコネクタ。
【請求項３】
前記一対の弾性片の内周面は、下方に向けて先細りのテーパー状をなしている請求項１又は請求項２に記載のコネクタ。
【発明の詳細な説明】
【技術分野】
【０００１】
本明細書によって開示される技術は、コネクタに関する。
【背景技術】
【０００２】
従来、特開２０１４−２２２６６号（下記特許文献１）に記載のコネクタが知られている。このコネクタは、ハウジングと、ハウジング内において互いに接続されたＬ字端子及び中継端子とを備えている。
【０００３】
Ｌ字端子は、固定ねじが挿通される丸端子部と、伸縮性導体に圧着接続されるバレル部とを備え、丸端子部とバレル部との間を略直角に折り曲げたＬ字状をなしている。
【０００４】
中継端子は、固定ねじが挿通される丸端子部と、電線の芯線に圧着接続されるバレル部とを備え、丸端子部とバレル部とは上下方向に並べて配置されている。
【０００５】
Ｌ字端子と中継端子は、ハウジング内に固定された固定ナットに、Ｌ字端子の丸端子部と中継端子の丸端子部とが重ねて配置されている。Ｌ字端子と中継端子の各円孔には固定ねじが挿通されており、固定ねじは固定ナットに締め込まれている。このようにして、Ｌ字端子と中継端子とは固定ねじと固定ナットによりハウジングに固定されている。
【０００６】
Ｌ字端子と中継端子を締結する際には、ハウジングの背面に設けられた作業孔からＬ字端子および中継端子の各丸端子部に固定ねじを通し、次いで工具を挿入し、固定ねじを固定ナットに締結するものとされている。
【先行技術文献】
【特許文献】
【０００７】
【特許文献１】特開２０１４−２２２６６号公報
【発明の概要】
【発明が解決しようとする課題】
【０００８】
しかしながら、固定ねじを固定ナットに締結する際、例えば固定ねじの締結位置が作業孔から深い場合には、固定ねじを途中で落としてしまうといった問題があった。また、固定ねじを固定ナットに締結した後は、作業孔を閉じる必要があるため、ハウジングの作業孔にカバーを取り付ける必要があり、部品点数が増加するといった問題があった。
【課題を解決するための手段】
【０００９】
本明細書で開示されるコネクタは、第一締結孔を有する第一端子と、第二締結孔を有する第二端子と、上下方向に延び、上下方向に重ねられた前記第一端子及び前記第二端子に対し、前記第二締結孔に配される本体突起部を備えるコネクタハウジングと、前記コネクタハウジングに上方から装着されるカバーであって、板状をなすカバー本体部と、前記カバー本体部より下方に向けて垂直に延びて前記第二締結孔の内周面と前記本体突起部の外周面との間に配される一対の弾性片と、前記一対の弾性片より径方向外側に向けて突出するカバー突起部とを備えるカバーと、を備えるコネクタであって、前記本体突起部が前記一対の弾性片の間に挿通されて前記一対の弾性片が開くことによって、前記第一端子及び前記第二端子が上方に押圧された状態で前記カバー突起部により上方への変位が阻止される。
このような構成にすることによって、上方への変位が阻止された第一端子に対して、第二端子が第一端子を上方へ押圧することとなるため、第一端子と第二端子とは電気的に導通することとなる。従って、従来は、固定ねじと固定ナットで２つの端子を締結し、さらに締結作業をする作業孔をカバーで塞ぐ必要があったが、上記の構成では、コネクタハウジングに設けられた本体突起部と、カバーに設けられた一対の弾性片によって、第一端子と第二端子とを接続することができる。従って、固定ねじと固定ナットの締結作業が不要となり、第一端子及び第二端子の接続作業を簡素化することができる。さらに、固定ねじと固定ナットが不要となることにより、部品点数の削減をすることができる。
【００１０】
また、前記本体突起部は、上方に向けて先細りのテーパー状をなしていることとしても良い。
このように構成することによって、本体突起部が一対の弾性片の間に挿通される際、本体突起部のテーパー状の部位が一対の弾性片の挿通のガイドの役割を果たすこととなる。
【００１１】
また、前記一対の弾性片の内周面は、下方に向けて先細りのテーパー状をなしていることとしても良い。
このように構成することによって、一対の弾性片のテーパー状の部位が、一対の弾性片を第二締結孔の内周面と本体突起部の外周面との間へ挿通する際のガイドの役割を果たすこととなる。
【発明の効果】
【００１２】
本明細書に開示されるコネクタによれば、端子同士の接続作業を簡素化し、さらに部品点数の削減を図ることができる。
【図面の簡単な説明】
【００１３】
【図１】カバー装着前におけるコネクタの断面図
【図２】カバー装着後におけるコネクタの断面図
【図３】図２における第一端子と第二端子との接続部の拡大図
【図４】カバー装着後におけるコネクタの正面図
【発明を実施するための形態】
【００１４】
＜実施形態＞
図１から図４を参照して本実施形態を説明する。
本実施形態のコネクタ１は、図１に示すように、コネクタハウジング１０と、コネクタハウジング１０の内部に配される第一端子５０及び第二端子６０と、コネクタハウジング１０に取り付けられるカバー３０とを備えている。以降の説明では、図１におけるＺ方向を上方、Ｘ方向を前方とする。
【００１５】
コネクタハウジング１０は、樹脂により形成されており、図１に示すように、上下方向に開口している。コネクタハウジング１０は、上方に開口する孔１５と、下方に開口する穴１６とを備えている。穴１６の穴径は、孔１５の孔径よりも小さくなっている。穴１６の底壁１７からは、本体突起部１１が上方に延びて形成されている。本体突起部１１は、穴１６の開口縁１８から上方にやや突出している。本体突起部１１は上方に向けて先細りのテーパー状をなしている。このようにすることで、後述するカバー３０の一対の弾性片３２が本体突起部１１に挿通される際、テーパー部が一対の弾性片３２の挿通のガイドの役割を果たすこととなる。穴１６の開口縁１８から後方に向かって、板状をなす端子支持台１３が形成されている。
【００１６】
第一端子５０及び第二端子６０は所謂ＬＡ端子であって、端子同士を締結する第一締結孔５１、第二締結孔６１をそれぞれ備えている。第二端子６０の第二締結孔６１の孔径は、第一端子５０の第一締結孔５１の孔径と同じとなっている。第一端子５０及び第二端子６０はコネクタハウジング１０の内部で重ねて配されており、第一端子５０の第一締結孔５１及びは本体突起部１１に挿通されている。第二端子６０は、第一端子５０の下側に配されており、第二端子６０は、穴１６の開口縁１８及び端子支持台１３に当接している。第一端子５０は、第二端子６０とは反対方向を向いてコネクタハウジング１０の内部に配されている。図示しないものの、第一端子５０には、コネクタハウジング１０の前方から配された電線が接続されている。また、図示しないものの、第二端子６０には、コネクタハウジング１０の後方から配された電線が接続されている。第一端子５０の第一締結孔５１及び第二端子６０の第二締結孔６１の内周面と、本体突起部１１の外周面との間には空間Ｓ１があり、空間Ｓ１に後述するカバー３０の一対の弾性片３２が挿通される。
【００１７】
カバー３０は、樹脂により形成されており、図１に示すように、板状をなすカバー本体部３１と、カバー本体部３１より下方に向けて垂直に延びる一対の弾性片３２とを備えている。一対の弾性片３２の上下方向の中央付近には、径方向外側に向けて突出するカバー突起部３３が設けられている。一対の弾性片３２の内周面は、一対の弾性片３２の上下方向の中央付近から下方に向けて先細りのテーパー状となっている。このようにすることで、一対の弾性片３２のテーパー状の部位が、一対の弾性片３２を空間Ｓ１へ挿通する際のガイドの役割を果たすこととなる。図１に示すように、一対の弾性片３２の外径Ｒ１は、第一端子５０の第一締結孔５１及び第二端子６０の第二締結孔６１の内径よりもやや小さくなっている。また、本体突起部１１の上面の内径は、一対の弾性片３２の先端部の内径Ｒ２よりも大きくなっているが、一対の弾性片３２の上下方向の中央付近の内径Ｒ３よりも小さくなっている。従って、一対の弾性片３２が空間Ｓ１（本体突起部１１の外周面側）に挿通されると、本体突起部１１に係合することによって、一対の弾性片３２は径方向外側に向けて弾性的に変位することとなる。
【００１８】
次に、本実施形態の作用について説明する。
カバー３０の一対の弾性片３２を空間Ｓ１に挿通し、さらに一対の弾性片３２を本体突起部１１の外周面に沿って下方に挿通していくと、一対の弾性片３２の内周面と、本体突起部１１の外周面は接触し、摺動する。一対の弾性片３２の内周面と本体突起部１１の外周面とが摺動しながら、一対の弾性片３２を本体突起部１１に挿通していくと、図３に示すように、一対の弾性片３２は本体突起部１１によって周方向外側（図３における方向Ａ）に向かって弾性的に変位する。
【００１９】
図３に示すように、一対の弾性片３２が周方向外側に向かって弾性的に変位すると、一対の弾性片３２は、第一端子５０の第一締結孔５１の内周面及び第二端子６０の第二締結孔６１の内周面と摺動する。それによって、第一端子５０及び第二端子６０は、一対の弾性片３２によって上方（図３における方向Ｂ）に押されて変位する。
【００２０】
第一端子５０及び第二端子６０が上方に向かって変位すると、第一端子５０の第一締結孔５１の上端面がカバー突起部３３の下端に当たり、第一端子５０及び第二端子６０の上方への変位はカバー突起部３３により阻止される。
【００２１】
一対の弾性片３２を本体突起部１１の外周面に沿ってさらに挿通していくと、図２に示すようにカバー本体部３１が、コネクタハウジング１０の上方に開口する孔１５の上端の開口縁に当接する。また、図４に示すように、カバー３０はコネクタハウジング１０に装着される。
【００２２】
第一端子５０及び第二端子６０は、一対の弾性片３２によって上方に押圧され、さらにカバー突起部３３によって上方への変位が阻止されるので、第一端子５０と第二端子６０とは上下方向から挟持された状態となって電気的に接続される。従って、従来の端子同士の締結で必要であった固定ねじと固定ナットによる接続作業が不要となるので、端子同士の接続作業を簡素化することができる。さらに、従来必要であった固定ねじと固定ナットが不要となるため、部品点数の削減を図ることができる。
【００２３】
以上のように本実施形態によれば、上方への変位が阻止された第一端子５０に対して、第二端子６０が第一端子５０を上方へ押圧することとなるため、第一端子５０と第二端子６０とは電気的に導通することとなる。従って、従来は、固定ねじと固定ナットで２つの端子を締結し、さらに締結作業をする作業孔をカバーで塞ぐ必要があったが、上記の構成では、コネクタハウジング１０に設けられた本体突起部１１と、カバー３０に設けられた一対の弾性片３２によって、第一端子５０と第二端子６０とを接続することができる。従って、固定ねじと固定ナットの締結作業が不要となり、第一端子５０及び第二端子６０の接続作業を簡素化することができる。さらに、固定ねじと固定ナットが不要となることにより、部品点数の削減をすることができる。
【００２４】
また、本体突起部１１が一対の弾性片３２の間に挿通される際、本体突起部１１のテーパー状の部位が一対の弾性片３２の挿通のガイドの役割を果たすこととなる。
【００２５】
また、一対の弾性片３２のテーパー状の部位が、一対の弾性片３２を第二締結孔６１の内周面と本体突起部１１の外周面との間へ挿通する際のガイドの役割を果たすこととなる。
【００２６】
＜他の実施形態＞
本明細書によって開示される技術は上記記述及び図面によって説明した実施形態に限定されるものではなく、例えば次のような種々の態様も含まれる。
（１）本実施形態では、本体突起部１１は、上方に向けて先細りのテーパー状をなしていることとしたが、テーパーを設けなくても良く、例えば同一径で上下方向に延びる棒状に設けても良い。
（２）本実施形態では、一対の弾性片３２の内周面は、下方に向けて先細りのテーパー状をなしていることとしたが、テーパーを設けなくても良く、例えばカバー本体部３１より下方に向けて同一内径で垂直に延びる形状としても良い。
（３）本実施形態では、上側に配された第一端子５０の第一締結孔５１の孔径と下側に配された第二端子６０の第二締結孔６１の孔径は同じとしたが、第一締結孔５１の孔径は第二締結孔６１の孔径より大きくても良い。
（４）本実施形態では、第一端子５０の第一締結孔５１及び第二端子６０の第二締結孔６１は本体突起部１１に挿通されていることとしたが、第二端子６０の第二締結孔６１のみ本体突起部１１に挿通されていることとしても良い。
【符号の説明】
【００２７】
１…コネクタ
１０…コネクタハウジング
１１…本体突起部
３０…カバー
３１…カバー本体部
３２…一対の弾性片
３３…カバー突起部
５０…第一端子
５１…第一締結孔
６０…第二端子
６１…第二締結孔
【図１】
2018181756.tif 000003
【図２】
2018181756.tif 000004
【図３】
2018181756.tif 000005
【図４】
2018181756.tif 000006